(57)【要約】【課題】  規制手段となるバネ部材と移動体との接着強度を向上させる。【解決手段】  レンズを保持するとともに光軸方向に移動可能な移動体（スリーブ１３）と、バネ部材を介して移動体を支持する支持体（カバー１２及びホルダ１９等）と、移動体を光軸方向に駆動する磁気駆動機構と、を有するレンズ駆動装置１において、バネ部材（第２の板バネ１５）は、移動体の光軸方向の端面に取り付けられる移動体側取り付け部１５ｃと、支持体に取り付けられる支持体側取り付け部１５ｄと、移動体側取り付け部１５ｃと支持体側取り付け部１５ｄとの間に形成され、移動体の光軸方向への移動を規制するアーム部１５ｅと、を備え、移動体のうち、移動体側取り付け部１５ｃが取り付けられる端面（後端面１３ａ）には、凹状の溝１３ｂが形成されている。【選択図】          図４
2009122332.tif 000002
【特許請求の範囲】
【請求項１】
レンズを保持するとともに光軸方向に移動可能な移動体と、
バネ部材を介して前記移動体を支持する支持体と、
前記移動体を光軸方向に駆動する磁気駆動機構と、を有するレンズ駆動装置において、
前記バネ部材は、前記移動体の光軸方向の端面に取り付けられる移動体側取り付け部と、前記支持体に取り付けられる支持体側取り付け部と、前記移動体側取り付け部と前記支持体側取り付け部との間に形成され、前記移動体の光軸方向への移動を規制するアーム部と、を備え、
前記移動体のうち、前記移動体側取り付け部が取り付けられる端面には、溝が形成されていることを特徴とするレンズ駆動装置。
【請求項２】
前記移動体側取り付け部には、接着剤を前記溝に注入するための注入孔が形成されていることを特徴とする請求項１記載のレンズ駆動装置。
【請求項３】
前記移動体側取り付け部は、前記アーム部と連結する連結部を有し、
前記注入孔は、当該連結部近傍に形成されていることを特徴とする請求項２記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示されたレンズ駆動装置は、移動レンズ体と、移動レンズ体を光軸方向に移動させる駆動機構と、移動レンズ体を光軸方向に移動可能に支持する固定体と、移動レンズ体の移動を規制する規制手段（板バネ）とを有している。また、駆動機構は、マグネットとコイルを有している。このような構成において、コイルに電流を供給して電磁力を発生させる一方、規制手段によって電磁力に対向する規制力を発生させ、両者の大きさを調整することによって、移動レンズ体を所望の位置に停止させることができる。
【０００５】
ここで、上述した規制手段（板バネ）を移動レンズ体に取り付ける際には、溶着又は接着剤による固定で行われるのが一般的である。より具体的には、例えば、移動レンズ体の端面に小さなピンを設け、そのピンを規制手段に形成された孔に通して、両者を位置決めする。その状態でピンに熱を加えることによって、ピンが溶け、規制手段は移動レンズ体に溶着されることになる。そして、場合によっては、溶着したピン付近は接着剤で固められる。
【０００６】
【特許文献１】特開２００７−９４３６４号公報
【発明の開示】
【発明が解決しようとする課題】
【０００７】
しかしながら、例えばカメラ付き携帯電話機に搭載されるレンズ駆動装置は、その大きさがとても小さく、上述したピン自体も非常に小さいものとなる。したがって、小さいピンで接着や溶着をしたとしても、固定力が強くなく、大きな衝撃が加わると、規制手段が移動レンズ体から外れる虞がある。また、ピンが小さいと、規制手段と移動レンズ体の接着面積を十分に確保することができないため、この点においても固定力に関して改善の余地がある。
【０００８】
本発明は、以上の点に鑑みてなされたものであり、その目的は、規制手段となるバネ部材と移動体との接着強度を向上させることが可能なレンズ駆動装置を提供することにある。
【課題を解決するための手段】
【０００９】
以上のような課題を解決するために、本発明は、以下のものを提供する。
【００１０】
（１）  レンズを保持するとともに光軸方向に移動可能な移動体と、バネ部材を介して前記移動体を支持する支持体と、前記移動体を光軸方向に駆動する磁気駆動機構と、を有するレンズ駆動装置において、前記バネ部材は、前記移動体の光軸方向の端面に取り付けられる移動体側取り付け部と、前記支持体に取り付けられる支持体側取り付け部と、前記移動体側取り付け部と前記支持体側取り付け部との間に形成され、前記移動体の光軸方向への移動を規制するアーム部と、を備え、前記移動体のうち、前記移動体側取り付け部が取り付けられる端面には、溝が形成されていることを特徴とするレンズ駆動装置。
【００１１】
本発明によれば、移動体と、支持体と、磁気駆動機構と、を有するレンズ駆動装置で、バネ部材は、移動体の光軸方向の端面に取り付けられる移動体側取り付け部と、支持体に取り付けられる支持体側取り付け部と、移動体側取り付け部と支持体側取り付け部との間に形成され、移動体の光軸方向への移動を規制するアーム部と、を備え、移動体のうち、移動体側取り付け部が取り付けられる端面には、溝（例えば凹状の溝）が形成されていることとしたので、この溝に接着剤などを流し込むことによって、バネ部材と移動体との接着強度を向上させることができる。
【００１２】
すなわち、溝に流し込まれた接着剤により、バネ部材と移動体とを接着する場合に、ピンで溶着・接着する場合と比べて、接着面積を大きくすることができる。したがって、バネ部材と移動体との接着強度を向上させることができる。また、接着強度が向上すれば、レンズ駆動装置が搭載された携帯電話機について衝撃に対する堅牢性・信頼性を高めることができる。
【００１３】
特に、点在するピンを使用して接着する場合と比べて、本発明に係るレンズ駆動装置は、"連続する"溝を使用して接着することとしているので、バネ部材と移動体を連続的に接着することができる。したがって、より強い接着強度を確保することができる。
【００１４】
ここで、「溝」の形状や深さの如何は問わない。「移動体側取り付け部が取り付けられる端面」全てに溝が形成されていてもよいし、その一部に形成されていてもよい。また、この「溝」に接着剤を流し込む手法の如何は問わない。
【００１５】
（２）  前記移動体側取り付け部には、接着剤を前記溝に注入するための注入孔が形成されていることを特徴とするレンズ駆動装置。
【００１６】
本発明によれば、移動体側取り付け部には、接着剤を上述の溝に注入するための注入孔が形成されているので、この注入孔を通じて溝に簡易に接着剤を流し込むことができ、ひいては組立作業を容易にすることができる。特に、レンズ駆動装置の容積が小さい場合であっても、この注入孔を使った接着作業により、より容易に組立作業を行うことができる。
【００１７】
（３）  前記移動体側取り付け部は、前記アーム部と連結する連結部を有し、前記注入孔は、当該連結部近傍に形成されていることを特徴とするレンズ駆動装置。
【００１８】
本発明によれば、移動体側取り付け部は、アーム部と連結する連結部を有し、上述した注入孔は、連結部近傍に形成されていることとしたので、バネ部材をより確実に移動体に接着することができる。詳細には、バネ部材において変形付加が最も大きいのは移動体側取り付け部とアーム部との連結箇所（連結部）である。したがって、この連結部近傍に注入孔を形成し、この連結部近傍の接着を優先的に確実に行うことによって、バネ部材をより確実に移動体に接着することができる。
【発明の効果】
【００１９】
本発明に係るレンズ駆動装置によれば、バネ部材と移動体を接着する場合に、移動体に形成された溝に接着剤を流し込むことで接着面積を大きくすることができ、ひいてはバネ部材と移動体との接着強度を向上させることができる。また、接着強度を向上させることができれば、レンズ駆動装置が搭載された携帯電話機の衝撃耐性（信頼性など）を高めることができる。
【発明を実施するための最良の形態】
【００２０】
以下、本発明を実施するための最良の形態について、図面を参照しながら説明する。
【００２１】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２２】
図１及び図２において、レンズ駆動装置１は、ヨーク１１と、カバー１２と、スリーブ１３と、第１の板バネ１４と、第２の板バネ１５と、ワイヤースプリング１６と、マグネット１７と、コイル１８（第１のコイル１８１及び第２のコイル１８２）と、ホルダ１９と、を有している。
【００２３】
なお、レンズが組み込まれたレンズバレル（鏡筒）については、図示を省略している。また、レンズ駆動装置１は、スリーブ１３を光軸Ｌの方向に沿って、被写体（撮像対象）に近づくＡ方向（前側）、被写体とは反対側（像側）に近づくＢ方向（後側）の双方向に移動させるものである（図１参照）。また、一又は複数枚のレンズが組み込まれたレンズバレル（上述のとおり図示せず）を保持するスリーブ１３は、ワイヤースプリング１６等と併せて光軸Ｌの方向に移動可能に構成されており、「移動体」の一例に相当する。また、ヨーク１１、カバー１２やホルダ１９などは、第１の板バネ１４及び第２の板バネ１５を介してスリーブ１３等を光軸Ｌの方向に移動可能に支持する「支持体」の一例に相当する。また、スリーブ１３等は、コイル１８やマグネット１７を備える「磁気駆動機構」によって、光軸Ｌの方向に駆動される。
【００２４】
ヨーク１１は、例えば鋼板などの強磁性板から構成されている。また、ヨーク１１は、レンズ駆動装置１の前面及び側面で露出し、その中央には、被写体からの反射光をレンズに取り込むための円形の入射窓１１１が形成されている。一方、カバー１２は、ヨーク１１に取付けられ、その中央には、被写体からの反射光をレンズに取り込むための円形の入射窓１２１が形成されている。ホルダ１９は、像側で撮像素子（図示せず）を保持するものである。
【００２５】
コイル１８は、第１のコイル１８１及び第２のコイル１８２から構成され、これらは光軸Lの方向に２段に配置され、いずれも円環状となっている。そして、スリーブ１３の外周面に所定の間隔をおいて巻き付けられる。また、８個のマグネット１７が光軸方向に２段に重ねて配置されており、各段のマグネット１７は、前側のマグネット１７が第１のコイル１８１に対して及び後側のマグネット１７は第２のコイル１８２に対して外周側で対向し、ヨーク１１の内周面のうち４箇所の角部分に固定される。
【００２６】
本実施形態では、マグネット１７は、いずれにおいても内面と外面とが異なる極に着磁されている。例えば、前側に配置された４個のマグネット１７は、その内面がＮ極に着磁され、外面がＳ極に着磁され、後側に配置された４個のマグネット１７は、その内面がＳ極に着磁され、外面がＮ極に着磁されている。
【００２７】
第１の板バネ１４及び第２の板バネ１５は、双方とも金属製の薄板から形成されており、光軸Ｌの方向における厚さを同じにしている。
【００２８】
ヨーク１１は、第１のコイル１８１及び第２のコイル１８２が配置されている領域の光軸方向の寸法、および、マグネット１７の光軸方向の寸法よりも大きくなっているため、前側のマグネット１７と第１のコイル１８１との間に構成される磁路、及び、前側のマグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティを向上させることができるようになっている。
【００２９】
レンズ駆動装置１は、円環状のワイヤースプリング１６を備えている。ワイヤースプリング１６は、マグネット１７との間に作用する磁気吸引力により、スリーブ１３に対して光軸Ｌの方向の付勢力を印加する。このため、移動体（スリーブ１３等）がコイルの非通電時に自重で変位することを防止することができ、ひいては移動体（スリーブ１３等）に所望の姿勢を維持させることができるようになっている。さらに、耐衝撃性を向上させることができるようになっている。
【００３０】
第２の板バネ１５は、電気的に分離された２枚のバネ片１５Ａ、１５Ｂからなり、外部電源からの電流をコイル１８に供給する際の媒体となるもので、各バネ片１５Ａ、１５Ｂには、それぞれコイル１８の巻き始めと巻き終わりとに電気的に接続されている。また、第２の板バネ１５は、スリーブ１３の後端面１３ａ（図４参照）に取り付けられる。
【００３１】
ここで、本実施形態に係るレンズ駆動装置１では、スリーブ１３に第２の板バネ１５を取り付ける際に、第２の板バネ１５がスリーブ１３から取れ難い構造となっている。より具体的には、スリーブ１３の後端面１３ａ（図４参照）、すなわち第２の板バネ１５が載置される載置面には、接着剤が溜まる溝１３ｂが形成されている。以下、図３〜図５を用いて、この溝１３ｂについて詳述する。なお、本実施形態では、溝１３ｂはスリーブ１３の後端面１３ａに形成されていることとして説明するが、本発明はこれに限られず、スリーブ１３の前端面に形成されていることとしてもよい。具体的には、第１の板バネ１４が載置される載置面（スリーブ１３の前端面）に、接着剤が溜まる溝が形成されていてもよい。
【００３２】
［スリーブの溝］
図３は、レンズ駆動装置１からホルダ１９を取り外し、後側から見たときの斜視図である。図４は、図３に示すレンズ駆動装置１から第２の板バネ１５を取り外したときの様子を示す斜視図である。なお、図３における第２の板バネ１５には、完成時には取り去られる枠体１５ｂ及び連結体１５ｂ'がついている。
【００３３】
図３及び図４において、第２の板バネ１５は、スリーブ１３の光軸方向の後端面１３ａに取り付けられる円弧状のスリーブ側取り付け部１５ｃと、樹脂形成されたホルダ１９に取り付けられるホルダ側取り付け部１５ｄと、スリーブ側取り付け部１５ｃとホルダ側取り付け部１５ｄとの間に形成され、スリーブ１３の光軸方向への移動を規制するアーム部１５ｅと、を有している。なお、本実施の形態では、スリーブ側取り付け部１５ｃが円弧状となっているが、スリーブ１３の後端面１３ａとほぼ同じ円弧形状となっている。これは、スリーブ側取り付け部１５ｃはスリーブ１３の後端面１３ａに取り付けられるために所定の面積を有している。この所定の面積とは、下記するように接着剤が染み込んで広がり、スリーブ側後端面１３ａとの接着強度を上げることができる接着面積を意味する。なお、本実施形態に示すスリーブ側取り付け部１５ｃは、円弧形状に限定されるものではない。
【００３４】
また、第２の板バネ１５は、電気的に分離された２枚のバネ片１５Ａ，１５Ｂからなっている。各バネ片１５Ａ，１５Ｂは、それぞれスリーブ側取り付け部１５ｃと、２個のホルダ側取り付け部１５ｄと、２個のアーム部１５ｅと、を有している。なお、図３では、バネ片１５Ｂに設けられた、１個のスリーブ側取り付け部１５ｃ，２個のホルダ側取り付け部１５ｄ，及び２個のアーム部１５ｅを図示している。また、アーム部１５ｅは、隣の角部に配置されたホルダ側取り付け部１５ｄの近傍まで延びている。
【００３５】
ホルダ側取り付け部１５ｄには、ホルダ１９の突起（図示せず）が挿入する挿入穴が形成されており、ホルダ側取り付け部１５ｄは、この挿入穴を通じてホルダ１９に位置決めされ、ホルダ１９に取り付けられる。一方、スリーブ側取り付け部１５ｃには、スリーブ１３の後端面１３ａに形成された突起部１３ｃが係合する係合孔が設けられている。図３では、４個の突起部１３ｃは、スリーブ側取り付け部１５ｃに形成された４個の係合孔に挿入されている。
【００３６】
ここで、従来は、例えば４個の突起部１３ｃを潰して加熱圧着することによって、第２の板バネ１５をスリーブ１３に接着固定していた。しかし、例えば携帯電話機に搭載されるレンズ駆動装置１は、その大きさが非常に小さいものであり、その結果、４個の突起部１３ｃも非常に小さなものとなる。そのため、上述した加熱圧着では接着面積が狭いことから、接着強度が十分でない場合がある。また、加熱圧着作業が難しい場合もある。
【００３７】
そこで、本実施形態に係るレンズ駆動装置１では、スリーブ側取り付け部１５ｃが取り付けられる端面（スリーブ１３の後端面１３ａ）には、溝１３ｂが形成されている（図４参照）。この溝１３ｂに接着剤を流しこめば、スリーブ１３の後端面１３ａとスリーブ側取り付け部１５ｃの接着面積が広くなる。加えて、毛細管現象によって、溝１３ｂに流し込まれた接着剤は、スリーブ１３の後端面１３ａとスリーブ側取り付け部１５ｃの間に染み込んでいく。これにより、スリーブ１３の後端面１３ａとスリーブ側取り付け部１５ｃの接着強度を高めることができる。
【００３８】
なお、溝１３ｂの幅は、スリーブ１３の大きさによって調整することができる。また、溝１３ｂの深さも同様に調整することができる。さらに、溝１３ｂの形状は四角だけでなく、三角形状や半円形状であってもよい。
【００３９】
また、溝１３ｂに流し込む接着剤としては、例えば、熱硬化型接着剤が挙げられる。この接着剤は基本的に粘度が低く、熱が加わると水のような状態になる。そして冷めると粘性が生じ始め、常温になると固まる性質がある。
【００４０】
一方、接着剤を溝１３ｂに流し込む手法としては、例えば、スリーブ側取り付け部１５ｃを少し持ち上げて流し込んでもよいし、溝１３ｂの一部をスリーブ１３の径方向外側に形成し、スリーブ１３の外側から流し込んでもよい。
【００４１】
特に、本実施形態では、スリーブ側取り付け部１５ｃには、接着剤を溝１３ｂに注入するための注入孔１５ａが形成されている。これにより、スリーブ側取り付け部１５ｃをスリーブ１３の後端面１３ａに密着させている状態であっても、その注入孔１５ａを通じて接着剤を流し込むことができる。
【００４２】
また、注入孔１５ａは、スリーブ側取り付け部１５ｃとアーム部１５ｅとを連結する連結部１５ｆの近傍に形成されている。これにより、変形負荷の大きな箇所を集中的に接着することができる。なお、連結部１５ｆの近傍のみに溝１３ｂを形成することによって、長さの短い溝１３ｂで、効率的に接着強度を高めることができる。具体的には、図５に示すように、連結部１５ｆの近傍においてのみ、溝１３ｂを形成してもよい。
【００４３】
［基本動作］
本実施形態に係るレンズ駆動装置１において、移動体は、通常（第１のコイル１８１及び第２のコイル１８２のコイルの非通電時）は、撮像素子側（像側）に位置する。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００４４】
このような状態において、第１のコイル１８１及び第２のコイル１８２に電流を流すと、第１のコイル１８１及び第２のコイル１８２は、それぞれ上向き（前側）の電磁力を受けることになる。これにより、第１のコイル１８１及び第２のコイル１８２並びにスリーブ１３は、被写体側（前側）に移動し始める。
【００４５】
このとき、第１の板バネ１４とスリーブ１３の前端との間、及び第２の板バネ１５とスリーブ１３の後端との間には、それぞれスリーブ１３の移動を規制する弾性力が発生する。このため、スリーブ１３を前側に移動させようとする電磁力と、スリーブ１３の移動を規制する弾性力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００４６】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。なお、電磁力と弾性力との釣り合いを利用してスリーブ１３を停止させることで、係止部等と係止させるように部材同士を接触させる場合と異なり、衝突音の発生を防ぐことができる。
【００４７】
［実施形態の主な効果］
本実施形態に係るレンズ駆動装置１によれば、図３〜図５を用いて説明したように、スリーブ１３の後端面１３ａには、接着剤を流し込むことが可能な溝１３ｂが形成されている。これにより、スリーブ側取り付け部１５ｃとスリーブ１３、すなわち第２の板バネ１５とスリーブ１３との接着強度を向上させることができる。
【００４８】
また、図３に示すように、スリーブ側取り付け部１５ｃにいくつかの注入孔１５ａを設けることによって、溝１３ｂに容易に接着剤を流し込むことができ、ひいては組立作業を簡素化することができる。特に、かかる効果は、レンズ駆動装置１が小型なものであったとしても、奏することができる。
【００４９】
さらに、注入孔１５ａを連結部１５ｆの近傍に設けることによって、第２の板バネ１５の変形負荷の大きなところを優先的に接着することができ、ひいては第２の板バネ１５をより確実にスリーブ１３に接着することができる。
【００５０】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００５１】
本発明に係るレンズ駆動装置は、第２の板バネとスリーブとの接着強度を高めることが可能なものとして有用である。
【図面の簡単な説明】
【００５２】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置からホルダを取り外し、後側から見たときの斜視図である。
【図４】図３に示すレンズ駆動装置から第２の板バネを取り外したときの様子を示す斜視図である。
【図５】溝の形成位置を限定したときの様子を示す図である。
【符号の説明】
【００５３】
１  レンズ駆動装置
１１  ヨーク
１２  カバー
１３  移動体（スリーブ）
１４  第１の板バネ
１５  第２の板バネ
１６  ワイヤースプリング
１７  マグネット
１８  コイル
１９  ホルダ
【図１】
2009122332.tif 000003
【図２】
2009122332.tif 000004
【図３】
2009122332.tif 000005
【図４】
2009122332.tif 000006
【図５】
2009122332.tif 000007
【手続補正書】
【提出日】平成20年11月14日(2008.11.14)
【手続補正１】
【補正対象書類名】図面
【補正対象項目名】図２
【補正方法】変更
【補正の内容】
【図２】
2009122332.tif 000008